(57)【要約】【課題】  表示パネル装置の表示パネルの交換時に前扉をいちいち開放しなくても表示パネル部材を極めて容易に交換できるように構成した遊技機を提供する。【解決手段】  スロットマシン１０は、ＲＯＭ装置の役抽選プログラムによる役抽選結果により回胴リール装置２７を制御して払い出しを行うように構成されている。このスロットマシン１０は、遊技機本体（１１ａ，１１ｂ）の前面における回胴リール装置２７の下方に表示パネル部材２６を視認可能に収容する表示パネル装置Ｐを備えている。この表示パネル装置Ｐは、遊技機本体の前壁面２８に対し接離可能に回動支持されて表示パネル部材２６を挿脱可能とする回動枠部材１９を備え、回動枠部材１９は、遊技機本体の前壁面２８から離間した状態にて表示パネル部材２６を受け入れる案内部３０を上側部に開放して備えている。【選択図】      図２
2005218767.tif 000002
【特許請求の範囲】
【請求項１】
役抽選を行う役抽選手段と図柄を表示する可変表示装置とを遊技機本体に備え、前記役抽選手段による役抽選結果により前記可変表示装置を制御して払い出しを行ってなる遊技機において、
前記遊技機本体の前面における前記可変表示装置の下方に表示パネル部材を視認可能に収容する表示パネル装置を備え、
前記表示パネル装置は、前記遊技機本体の前壁面に対し接離可能に回動支持されて前記表示パネル部材を挿脱可能とする回動枠部材を備え、
前記回動枠部材は、前記遊技機本体の前壁面から離間した状態にて前記表示パネル部材を受け入れる案内部を上側部に開放して備える、
ことを特徴とする遊技機。
【請求項２】
前記回動枠部材は、前記遊技機本体の前壁面に接した状態にて前記案内部を閉塞されるように構成されている、
ことを特徴とする請求項１に記載の遊技機。
【請求項３】
前記回動枠部材は、前記案内部を閉塞した状態にてロック機構を介して開放不能に係止されてなる、
ことを特徴とする請求項１又は２に記載の遊技機。
【請求項４】
前記回動枠部材の内側には、前記表示パネル部材を前後から挟み込む一対の透明板が予め収容されてなり、
前記一対の透明板は、前記前壁面から前記回動枠部材が離れる際、前記表示パネル部材を受け入れ可能に互いに離反するように構成される、
ことを特徴とする請求項１ないし３のうち何れか１項に記載の遊技機。
【請求項５】
前記表示パネル部材は、前記案内部への挿脱時に把持し得るタグを備えてなる、
ことを特徴とする請求項１ないし４のうち何れか１項に記載の遊技機。
【発明の詳細な説明】
【技術分野】
【０００１】
本発明は、スロットマシン等の遊技機に関し、特に遊技機本体前面に配置されている表示パネル装置のパネル挿脱構造の改良に関する。
【背景技術】
【０００２】
一般に、遊技機、例えばスロットマシンとして、複数種の絵柄からなるシンボルマークを円周方向に多数備えた横３列の回胴リールを、スタートレバー操作に基づき回転させた後、３個のストップボタンを夫々押圧操作することで各ボタンに対応する回胴リールを順次停止させ、各回胴リールに備えたシンボルマークのうちの所定の絵柄同士が一致したとき当たりとなって、多数の遊技メダル（以下、単に「メダル」とも言う）をメダル受け皿に放出する構造のものが知られている（例えば、特許文献１参照）。
【０００３】
ところで、上述のようなスロットマシンは、通常、マシン本体の前面に、装飾絵柄と共に機種名等が表示された表示パネル部材を収容した表示パネル装置を備えている。一般に表示パネル装置は、マシン本体の裏面側から螺合されるネジで固定された枠体を備えており、工場での組立工程において、当該枠体に対する表示パネル部材の挿入作業は以下のように行われる。
【０００４】
即ち、或る程度組み立てられたスロットマシンの前枠を、シリンダ錠を解除して開放した後、表示パネル部材を挟み込んだ形の枠体を一方の手で前扉前面に押さえつつ、前扉裏面側からネジを螺入して枠体の裏面に螺合して前扉に固定する。その後、前扉を筐体に対して閉止した状態でシリンダ錠をロックする。
【０００５】
【特許文献１】特開２００３−２７５３７２号公報（図１ないし図３参照）
【発明の開示】
【発明が解決しようとする課題】
【０００６】
上述した従来のスロットマシンでは、上記のように工場で組立生産する場合、前扉の裏面側からネジを螺入して固定するように作業を進めなければならないため、例えば、枠体の前扉への固定後に、表示パネル部材とその前面に位置する透明板との間に塵埃等が進入していることに気が付いたような際には、以下のような煩雑な処理を余儀なくされる。つまり、再度シリンダ錠を解除して前扉を開放し、その状態で前扉前側にて枠体を押さえつつ前扉裏面からネジを取り外し、枠体を前扉から離した状態で表示パネル部材を取り出し、塵埃を除去した後に、表示パネル部材を枠体内方に再度挿入して、枠体を前扉に押し付けつつ、前扉裏面側からネジを螺入して当該枠体を前扉前面に固定するのである。
【０００７】
また、出荷後のスロットマシンにあっても以下のような問題を生じることがあった。例えば、遊技場において旧台に代えて新台を導入する新台入れ替え時には、各スロットマシンの構成部全体を新品と交換する手法が採られることもあるが、これに代えて、旧型のスロットマシンの前扉及び筐体をそのまま残し、筐体内部の回胴リール装置並びに主基板やサブ基板等の基板類のみを新しいものに交換することで、１台の入れ替えに要するコストを削減して経済性を高めるような手法が採られることもある。
【０００８】
しかし、後者の手法が採られる場合、多数台のスロットマシンの表示パネル装置の表示を全て新台に対応したものに取り替える作業が必要になるが、その作業では、１台毎にシリンダ錠を解除して前扉を開放し、その状態で前扉前側にて枠体を押さえつつ前扉裏面からネジを取り外し、枠体を前扉から離した状態で表示パネル部材を取り出し、これを新しいものと交換した後、枠体を前扉に押し付けつつ、前扉裏面側からネジを螺入して当該枠体を前扉前面に固定するという煩雑な作業を余儀なくされることになる。
【０００９】
そこで本発明は、表示パネル装置の表示パネル部材の交換時に前扉をいちいち開放しなくても表示パネル部材を極めて容易に交換し得るように構成し、もって上述した課題を解決した遊技機を提供することを目的とするものである。
【課題を解決するための手段】
【００１０】
請求項１に係る本発明は（例えば図１ないし図４参照）、役抽選を行う役抽選手段と図柄を表示する可変表示装置（２７）とを遊技機本体（１１ａ，１１ｂ）に備え、前記役抽選手段による役抽選結果により前記可変表示装置（２７）を制御して払い出しを行ってなる遊技機（１０）において、
前記遊技機本体（１１ａ，１１ｂ）の前面における前記可変表示装置（２７）の下方に表示パネル部材（２６）を視認可能に収容する表示パネル装置（Ｐ）を備え、
前記表示パネル装置（Ｐ）は、前記遊技機本体（１１ａ，１１ｂ）の前壁面（２８）に対し接離可能に回動支持されて前記表示パネル部材（２６）を挿脱可能とする回動枠部材（１９）を備え、
前記回動枠部材（１９）は、前記遊技機本体（１１ａ，１１ｂ）の前壁面（２８）から離間した状態にて前記表示パネル部材（２６）を受け入れる案内部（３０）を上側部に開放して備える、
ことを特徴とする遊技機（１０）にある。
【００１１】
なお、本発明における上記「表示パネル部材」は、比較的柔軟なものや比較的堅いもの、つまりフィルム状、シート状或いは板状の部材の何れをも含む概念である。
【００１２】
請求項２に係る本発明は（例えば図１ないし図３参照）、前記回動枠部材（１９）が、前記遊技機本体（１１ａ，１１ｂ）の前壁面（２８）に接した状態にて前記案内部（３０）を閉塞されるように構成される、
ことを特徴とする請求項１に記載の遊技機（１０）にある。
【００１３】
請求項３に係る本発明は（例えば図３参照）、前記回動枠部材（１９）が、前記案内部（３０）を閉塞した状態にてロック機構（３１，３２）を介して開放不能に係止されてなる、
ことを特徴とする請求項１又は２に記載の遊技機（１０）にある。
【００１４】
請求項４に係る本発明は（例えば図２及び図３参照）、前記回動枠部材（１９）の内側には、前記表示パネル部材（２６）を前後から挟み込む一対の透明板（３４ａ，３４ｂ）が予め収容されてなり、
前記一対の透明板（３４ａ，３４ｂ）は、前記前壁面（２８）から前記回動枠部材（１９）が離れる際、前記表示パネル部材（２６）を受け入れ可能に互いに離反するように構成される、
ことを特徴とする請求項１ないし３のうち何れか１項に記載の遊技機（１０）にある。
【００１５】
請求項５に係る本発明は（例えば図２及び図４参照）、前記表示パネル部材（２６）が、前記案内部（３０）への挿脱時に把持し得るタグ（２６ａ）を備えてなる、
ことを特徴とする請求項１ないし４のうち何れか１項に記載の遊技機（１０）にある。
【００１６】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１７】
請求項１に係る本発明によると、遊技機本体前面の下方に備えた表示パネル装置が、遊技機本体前面に対し接離可能に回動支持されて表示パネル部材を挿脱可能とする回動枠部材を備え、該回動枠部材が、遊技機本体前面から離間した状態にて表示パネル部材を受け入れる案内部を上側部に開放して備えるので、工場での生産時や遊技場での新台入れ替え時における表示パネル部材の挿脱作業において、従来のように１台毎にシリンダ錠を解除して前扉を開放することなく、遊技機本体前側から離間した回動枠部材の案内部から旧表示パネル部材を引き抜きそして当該案内部から新表示パネル部材を挿入するだけで、表示パネル部材の挿脱作業を極めて簡単に行うことができる。これにより、従来タイプの表示パネル装置を有する遊技機の生産時や新台入れ替え時に余儀なくされていた煩雑な作業を無くし、作業効率を大幅に向上させることができる。
【００１８】
請求項２に係る本発明によると、回動枠部材が、遊技機本体の前壁面に接した状態にて案内部を閉塞されるように構成されるので、表示パネル部材を挿入した状態の回動枠部材を遊技機本体側に単に閉止するだけで、表示パネル部材が回動枠部材の外方に抜け出すことを確実に防止することができる。
【００１９】
請求項３に係る本発明によると、回動枠部材が、案内部を閉塞した状態にてロック機構を介して開放不能に係止される構成を備えるので、回動枠部材に挿入された表示パネル部材が不正に抜き出されるような不都合を確実に防止することができる。
【００２０】
請求項４に係る本発明によると、表示パネル部材を前後から挟み込む一対の透明板が回動枠部材の内側に予め収容され、当該一対の透明板が、前壁面からの回動枠部材の離間時に、表示パネル部材を受け入れ可能に互いに離反するように構成されるので、例えば、フィルム状の表示パネル部材を枠体に挿入するような場合、回動枠部材における案内部の開放端側から、互いに離反した両透明板の間の隙間に表示パネル部材を徐々に滑り込ませることによって、いわゆる腰の無い表示パネル部材を極めて容易に挿入することができる。
【００２１】
請求項５に係る本発明によると、表示パネル部材が、案内部への挿脱時に把持し得るタグを備えているので、表示パネル部材の回動枠部材への挿脱を、タグを把持しながらより簡便に行うことができる。
【発明を実施するための最良の形態】
【００２２】
以下、本発明の遊技機の実施形態として、遊技場等に設置されるスロットマシンについて図１ないし図４を参照して説明する。
【００２３】
図１は本発明に係る実施形態におけるスロットマシンの外部構造を概略的に示す斜視図、図２は本スロットマシンの表示パネル装置の開放状態を拡大して示す斜視図、図３は図２に示した開放時の表示パネル装置を図２の右側から見た状態で示す側面図、図４は表示パネル部材を単体で示す正面図である。
【００２４】
本実施形態におけるスロットマシン１０は、図１に示すように、筐体１１ａと、筐体１１ａの一側部に開閉自在に取り付けられて遊技者に面する前扉１１ｂとを備えて構成されている。当該スロットマシン１０は、不図示のＲＯＭ装置に格納された役抽選プログラム（役抽選手段）による役抽選結果に応じて、図柄を表示する回胴リール装置（可変表示装置）２７の作動を制御すると共に、上記役抽選結果に応じた数の遊技メダル（図示せず）をメダル受け皿１６に払い出すように構成されている。なお、上記筐体１１ａと前扉１１ｂとによって遊技機本体が構成されている。
【００２５】
上記役抽選プログラムによって抽選される入賞役としては、複数種類の特別役、複数種類の小役、及びリプレイ等を挙げることができる。特別役とは、通常遊技から特別遊技（通常遊技以上にメダルの獲得が期待でき、遊技者にとって有利となる遊技）に移行させる役である。その種類として、例えば、ビックボーナス（ＢＢ）、レギュラーボーナス（ＲＢ）及びシングルボーナス（ＳＢ）を挙げることができる。小役とは、予め定めた枚数の遊技メダルが払い出される役である。小役の種類に応じて、遊技メダルの払い出し枚数が異なるように設定されている。リプレイとは、再遊技役であって、当該遊技での遊技メダルの投入枚数（ベット枚数）を維持した再遊技が行える役である。
【００２６】
前扉１１ｂは、図１の上下方向における略中央部分に操作パネル１３を有しており、操作パネル１３の上方に液晶表示パネル１５を、下方に表示パネル装置Ｐ及び上記メダル受け皿１６を夫々有している。液晶表示パネル１５の上方には、クレジット枚数、ベット（ＢＥＴ）枚数、及び払い出し状況等を表示するための遊技状態表示部１７が設けられている。
【００２７】
上記操作パネル１３には、上面にベットボタン２０及びメダル投入部２１が配置され、前面にスタートレバー２２及び３個のストップボタン２３が配置されている。また、液晶表示パネル１５中央の透過窓には、横３列の回胴リール２７ａを有する上記回胴リール装置２７が臨んでいる。なお、図１中の符号１２は灰皿、１４はメダル払い出し口、１８は裏面にスピーカを有する報音部を夫々示している。
【００２８】
次に、上記表示パネル装置Ｐについて、図１ないし図４を参照して説明する。即ち、表示パネル装置Ｐは、図１ないし図３に示すように、遊技機本体（１１ａ，１１ｂ）の前面における回胴リール装置２７の下方に配置されており、略矩形状からなり、且つ装飾絵柄と機種名等が印刷された表示部分２９を有する表示パネル部材２６を、視認可能に収容できるように構成されている。
【００２９】
表示パネル装置Ｐは、遊技機本体の前扉１１ｂの前壁面２８に対し接離可能に回動支持されて表示パネル部材２６を挿脱可能とする回動枠部材１９を備えている。この回動枠部材１９は、スロットマシン１０の幅方向（図１の矢印Ａ方向）にやや長尺な長方形状の枠体として形成されると共に、矢印Ａ方向に沿う回動軸Ｃを中心として自在に回動し得るように構成されており、前壁面２８から離間した状態にて表示パネル部材２６を受け入れる案内部３０を上側部に開放して備えている。回動枠部材１９は更に、案内部３０から挿脱される表示パネル部材２６における矢印Ａ方向の左右端部を摺接支持する、相互に平行なガイドレール１９ａ，１９ｂを備えている。
【００３０】
図３に示すように、前扉１１ｂの回動枠部材１９に対向する位置には、前面側から矢印Ｂ方向（図１）後側に後退するように凹状の前壁面２８が形成されている。この前壁面２８の下部側の左右（図３の紙面手前−奥方向）には、一対のブラケット２５が前方に突出した形で夫々固定されており、これらブラケット２５には、回動枠部材１９の下端部が上記回動軸Ｃに一致するピン２４によって回動自在に支持されている。また前壁面２８の上部側の左右には、一対のリンク３９が、図３の時計方向と反時計方向に自在に回動するようにピン３８にて支持されており、回動枠部材１９の上部側の左右には、一対のリンク３９に対応する一対のリンク３３が、図３の時計方向と反時計方向に自在に回動するようにピン３６にて支持されている。
【００３１】
更に、上記一対ずつのリンク３３，３９が、ピン３５を介して互いに回動自在に連結されてリンク機構３７を構成しており、回動枠部材１９が、ピン２４（回動軸Ｃ）を中心として遊技機本体の前後に回動し、前壁面２８に対して接離し得るように支持されている。前壁面２８の最上部には、前壁面２８側に回動して密着した回動枠部材１９の案内部３０の上部開放端を閉塞し得るように、閉塞面４０が前方に突出するように形成されている。
【００３２】
また、回動枠部材１９の上部側左右には、一対の係合突起３１が前壁面２８側に突出するように形成されており、前壁面２８の上部側左右には、一対の係合突起３１と夫々係合し得る位置に一対の係合凹部３２が形成されている。これら一対ずつの係合突起３１及び係合凹部３２は、回動枠部材１９が回動して前壁面２８に密着する際に相互に係合して、案内部３０を閉塞面４０にて閉塞された状態の回動枠部材１９を開放不能に係止するロック機構を構成している。なお、このロック機構は、ロック状態の回動枠部材１９をロック解除する場合、回動枠部材１９上部の側部から特殊な治具（図示せず）を挿入することにより、遊技場の係員によってのみ開放し得るように構成される。
【００３３】
そして、回動枠部材１９の内側には、表示パネル部材２６を前後（表裏）から挟み込む一対の透明板３４ａ，３４ｂが予め収容されている。これら透明板３４ａ，３４ｂは、夫々表示パネル部材２６と略同等のサイズに形成されており、透明板３４ａは回動枠部材１９側に固定され、かつ透明板３４ｂは、回動枠部材１９の開放時に前壁面２８側にて該前壁面２８と略平行な状態に保持されるように構成されている。これにより一対の透明板３４ａ，３４ｂは、図３に示すように、前壁面２８から回動枠部材１９が離れる際、表示パネル部材２６を受け入れ可能となるように互いに離反して、双方の間に隙間を形成する。
【００３４】
上記表示パネル部材２６は、アクリル樹脂などの合成樹脂系材料によって構成されるもので、フィルム状、シート状又は板状のように、その厚さに応じて比較的柔軟なものや比較的堅いものとして各種形態が作製され得る。当該表示パネル部材２６は、図４に示すように、案内部３０への挿脱時にオペレータが把持し得るタグ２６ａを備えている。このタグ２６ａは、表示パネル部材２６の製作時に一体的に形成することも、表示パネル部材２６の本体部の製作後に貼付する形で設けることもできる。なお、上記透明板３４ａ，３４ｂも、上記表示パネル部材２６と同様、アクリル樹脂等の合成樹脂材料から構成することができる。
【００３５】
以下に、上述の構成を有する本スロットマシン１０の作用について説明する。即ち、まず、遊技場係員により電源がオンされると、不図示の電源ユニットから対応する部位への電源供給が開始され、スロットマシン１０は、遊技者による遊技が可能な状態となる。
【００３６】
上記状態において、遊技者が、メダル投入部２１（図１参照）に遊技メダルを適宜枚数投入し、ベットボタン２０を押圧操作し、スタートレバー２２を押下すると、これに応答して、不図示のＲＯＭ装置内の役抽選プログラムによる役抽選が行われると共に、回胴リール装置２７の横３列の回胴リール２７ａが回転し始める。更に遊技者が、３個のストップボタン２３を夫々押圧操作することで各ボタン２３に対応する回胴リール２７ａを順次停止させるが、その際、各回胴リール２７ａに備えたシンボルマークのうちの所定の絵柄同士が一致すると当たりとなり、対応する枚数の遊技メダルがメダル払い出し口１４からメダル受け皿１６内に放出される。
【００３７】
ここで、上述の機能を有するスロットマシン１０の表示パネル装置Ｐに対して表示パネル部材２６を入れ替える際の工程について説明する。
【００３８】
本スロットマシン１０では、表示パネル装置Ｐが、遊技機本体前面に対し接離可能に回動支持されて表示パネル部材２６を挿脱可能とする回動枠部材１９を備え、回動枠部材１９が、遊技機本体前面から離間した状態にて表示パネル部材２６を受け入れる案内部３０を上側部に開放して備えていることにより、従来のように１台毎にシリンダ錠を解除して前扉１１ｂを開放することが不要になっている。従って、図１に示す状態からロック機構（３３，３９）を解除し、回動枠部材１９を前壁面２８から離反するように図３の反時計方向に回動させると、同図に示すように案内部３０の上部開放端が閉塞面４０から開放され、タグ２６ａを指で摘んで、古い表示パネル部材２６を外方に引き出し得る状態となる。この際、表示パネル部材２６の前後に位置する透明板３４ａ，３４ｂは、互いに離反して双方間に隙間を形成する。この状態にて、透明板３４ａ，３４ｂから上方にやや突出するタグ２６ａを引っ張り、古い表示パネル部材２６を引き出す。
【００３９】
その後、今度は、古い表示パネル部材２６の引き出し時とは逆に、新台に対応する新表示パネル部材２６を、その左右端部をガイドレール１９ａ，１９ｂにて案内させつつ、互いに離反した透明板３４ａ，３４ｂの間の隙間に滑り込ませる。そして、新表示パネル部材２６を回動枠部材１９内に完全に挿入した後、回動軸Ｃを中心として前壁面２８側に回動させる。すると、回動枠部材１９が前壁面２８に接近するにつれて、リンク機構３７が折り畳まれると共に、係合突起３１が係合凹部３２に係合し、回動枠部材１９が前扉１１ｂに対してロックされる。これと同時に、案内部３０の上部開放端が閉塞面４０によって閉塞されるため、回動枠部材１９に挿入された表示パネル部材２６が不正に抜き出されるような不都合を確実に防止できる。このように、表示パネル部材２６の挿入後に回動枠部材１９を単に閉止するだけで、表示パネル部材２６が回動枠部材１９の外方に抜け出すことを確実に防止できる。
【００４０】
以上のように、遊技機本体の前側にて回動枠部材１９の案内部３０から旧表示パネル部材２６を引き抜いた後、この案内部３０から新表示パネル部材２６を挿入するだけで、表示パネル部材２６の挿脱作業を極めて簡単に行うことができる。これにより、従来タイプの表示パネル装置を有するスロットマシン１０の生産時や新台入れ替え時に余儀なくされていた煩雑な作業が無くなり、作業効率が大幅に向上する。
【００４１】
また、表示パネル部材２６を前後から挟み込む一対の透明板３４ａ，３４ｂが回動枠部材１９の内側に予め収容され、当該透明板３４ａ，３４ｂが、前壁面２８からの回動枠部材１９の離間時に、表示パネル部材２６を受け入れ可能に互いに離反するので、例えば、フィルム状の表示パネル部材２６を枠体に挿入するような場合、回動枠部材１９における案内部３０の開放端側から、互いに離反した両透明板３４ａ，３４ｂの間の隙間に表示パネル部材２６を徐々に滑り込ませることによって、いわゆる腰の無い表示パネル部材２６を極めて容易に挿入することができる。また、表示パネル部材２６が、案内部３０への挿脱時に把持し得るタグ２６ａを備えるので、表示パネル部材２６の回動枠部材１９への挿脱を、タグ２６ａを把持しながらより簡便に行うことができる。
【００４２】
なお、本実施の形態では、図１及び図２に示すように正面視が略長方形状の回動枠部材１９を有する表示パネル装置Ｐを具備するスロットマシン１０について説明したが、本発明はこれに限らず、一隅にＲ状（湾曲状）部を有する正面視略長方形状の回動枠部材１９を有する表示パネル装置Ｐを具備したスロットマシン１０にも適用可能であることは勿論である。当該Ｒ状（湾曲状）部は、例えば図５に示す変形例においては、同図の左下方隅部に形成されており、このような構成を備えたスロットマシン１０によっても、上述した実施形態と同様の作用効果を得られることは言うまでもない。
【００４３】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００４４】
【図１】本発明に係る実施形態におけるスロットマシンの外部構造を概略的に示す斜視図である。
【図２】本スロットマシンの表示パネル装置の開放状態を拡大して示す斜視図である。
【図３】図２に示した開放時の表示パネル装置を図２の右側から見た状態で示す側面図である。
【図４】表示パネル部材を単体で示す正面図である。
【図５】表示パネル装置の変形例を示す拡大斜視図である。
【符号の説明】
【００４５】
１０…スロットマシン（遊技機）
１１ａ…筐体
１１ｂ…前扉
１９…回動枠部材
２６…表示パネル部材
２６ａ…タグ
２７…回胴リール装置（可変表示装置）
２８…前壁面
３０…案内部
３１…係合突起
３２…係合凹部
３４ａ，３４ｂ…透明板
４０…閉塞面
Ｐ…表示パネル装置
【図１】
2005218767.tif 000003
【図２】
2005218767.tif 000004
【図３】
2005218767.tif 000005
【図４】
2005218767.tif 000006
【図５】
2005218767.tif 000007